(57)【要約】【課題】礼拝の際に、台周辺の対象物の載置状態が乱れることを低減できる仏壇を提供する。【解決手段】仏壇１００の蓋１０は、本体３０への台２０の収容状態で回動し、本体３０の天面３０Ａに起立可能である。本体３０は第１側壁部３１及び第２側壁部３２を含む。第２側壁部３２は第１切欠領域３２Ｂを有する。台２０は、第１側板部２１と第２側板部２２とを含む。第２側板部２２は、第２切欠領域２２Ｂを有し、収容状態で第１切欠領域３２Ｂを閉塞又は開放可能である。台２０は、収容状態で、第２側壁部３２から第１側壁部３１へ向かう第１方向Ｄ１又は逆方向Ｄ２にスライド可能である。台２０が収容状態で第１方向Ｄ１にスライドする動作に応じて、第２側板部２２は、第１切欠領域３２Ｂの閉塞状態から開放状態へ遷移する。第２切欠領域２２Ｂは、閉塞状態では開放されず、開放状態では台２０の内側に礼拝に関する第１対象物Ｔを出し入れ可能に開放される。【選択図】図１
2020174914.tif 000002
【特許請求の範囲】
【請求項１】
天面が開口した箱状の本体と、
箱状であり、前記本体に収容される台と、
底面が開口した箱状であり、前記本体の前記天面を塞ぐ蓋と、
前記台と前記蓋とを連結する連結部と
を備え、
前記蓋は、前記本体に前記台を収容している収容状態で、前記連結部を支点として回動して、前記本体の前記天面に起立可能であり、
前記本体は、底壁部と、前記底壁部から互いに対向して立設する第１側壁部及び第２側壁部とを含み、
前記第２側壁部は、前記本体の前記天面と隣接する切り欠かれた領域である第１切欠領域を有し、
前記台は、天板部と、前記天板部の内側面から突出する第１側板部と、前記第１側板部と対向して前記内側面から突出する第２側板部とを含み、
前記第２側板部は、前記台の底面と隣接する切り欠かれた領域である第２切欠領域を有しており、前記収容状態で前記第１切欠領域を閉塞又は開放可能であり、
前記台は、前記収容状態で、前記第２側壁部から前記第１側壁部へ向かう第１方向、又は前記第１方向の逆方向である第２方向にスライド可能であり、
前記台が前記収容状態で前記第１方向にスライドする動作に応じて、前記第２側板部は、前記第１切欠領域を閉塞している閉塞状態から、前記第１切欠領域を開放している開放状態へ遷移し、
前記第２切欠領域は、前記閉塞状態では開放されず、前記開放状態では前記台の内側に礼拝に関する第１対象物を出し入れ可能に開放される、仏壇。
【請求項２】
前記収容状態で、前記台の前記底面からの前記第２切欠領域の高さは、前記台の前記底面から前記天板部の天面までの高さの半分よりも大きい、請求項１に記載の仏壇。
【請求項３】
前記蓋は、前記連結部を支点として回動して、当接状態と、非当接状態との間を遷移し、
前記当接状態は、前記蓋が当接位置に位置する状態を示し、
前記当接位置は、前記蓋の前記底面が前記本体の前記天面と当接している当接面を有する位置を示し、
前記非当接状態は、前記蓋が非当接位置に位置する状態を示し、
前記非当接位置は、前記蓋の前記底面が前記当接面を有しない位置を示し、
前記非当接状態は、起立状態と傾き状態とを含み、
前記起立状態は、前記蓋が前記非当接位置のうちの起立位置に位置する状態を示し、
前記起立位置は、前記蓋が前記本体の前記天面に起立して保持される位置を示し、
前記傾き状態は、前記蓋が前記非当接位置のうちの傾き位置に位置する状態を示し、
前記傾き位置は、前記蓋の前記底面が前記本体の前記天面に近づく方向に前記起立位置よりも傾いている位置を示し、
前記台は、前記起立状態で、前記当接状態又は前記傾き状態よりもスライドする動作が抑制される、請求項１又は請求項２に記載の仏壇。
【請求項４】
前記本体は、前記第１方向又は前記逆方向にスライドするように前記台を案内する案内部を更に含み、
前記台は、前記案内部と係合する係合部を更に含み、
前記蓋が前記起立状態で前記連結部を介して前記台を押し上げることによって、前記係合部は、前記第１方向と交差する交差方向に前記案内部を押圧する、請求項３に記載の仏壇。
【請求項５】
前記蓋は、第１磁石と、第２磁石とを更に含み、
前記本体は、前記第１磁石と異なる極性を有する第３磁石と、前記第２磁石と異なる極性を有する第４磁石とを更に含み、
前記第１磁石は、前記起立状態で、前記第３磁石と対向し、
前記第２磁石は、前記起立状態で、前記第４磁石と対向する、請求項３又は請求項４に記載の仏壇。
【請求項６】
前記台は、前記当接状態で、前記傾き状態よりもスライドする動作が抑制される、請求項３から請求項５のいずれか１項に記載の仏壇。
【請求項７】
前記台は、前記第１対象物を載置可能な載置部を更に含み、
前記載置部は、前記台の内側に配置され、前記開放状態で前記第２切欠領域を介して出し入れ可能であり、
前記第１対象物は、遺骨を含む、請求項１から請求項６のいずれか１項に記載の仏壇。
【請求項８】
前記台は、前記第１対象物を載置可能な載置部を更に含み、
前記天板部は、前記第１側板部と、前記第２側板部とに対して、離間可能であり、
前記載置部は、前記台の内側に配置され、
前記第１対象物は、遺骨を含む、請求項１から請求項６のいずれか１項に記載の仏壇。
【請求項９】
前記天板部は、前記天板部の前記天面と平行に延びる第１溝部を有し、
前記第１溝部に板状の仏具が挿し込まれた場合、前記仏具は、前記第１溝部の長手方向にスライド可能である、請求項２から請求項８のいずれか１項に記載の仏壇。
【請求項１０】
第２溝部を有する台座を更に備え、
前記台座の底部の形状は、前記第１溝部の形状に対応しており、
前記台座の前記底部が前記第１溝部に挿し込まれた状態で、前記第２溝部に前記仏具が挿し込まれた場合、前記仏具は、前記第２溝部の長手方向にスライド可能である、請求項９に記載の仏壇。
【請求項１１】
前記仏具を更に備え、
前記仏具の底部の形状は、前記第１溝部又は前記第２溝部の形状に対応しており、
前記仏具は、位牌又は過去帳を含む、請求項１０に記載の仏壇。
【請求項１２】
前記第１溝部は、前記第１溝部の長手方向から見た場合に、前記天板部の前記天面から矩形状に凹むとともに、前記第１溝部の底部から前記第１溝部の短手方向に更に凹み、
前記仏具の前記底部は、前記第１溝部の前記底部の形状に対応して前記仏具の厚み方向に突出する、請求項１１に記載の仏壇。
【請求項１３】
礼拝に関する第２対象物を収納可能な収納箱を更に備え、
前記収納箱は、前記第１側板部と前記第１側壁部との間に着脱可能に載置され、
前記収納箱は、前記第１側板部と前記第１側壁部との間から取り外された状態で、前記収納箱の底板を天面として前記本体の外部に載置された場合、前記第２対象物を前記収納箱の前記天面に載置可能である、請求項１から請求項１２のいずれか１項に記載の仏壇。
【請求項１４】
前記収納箱は、前記収容状態かつ前記閉塞状態で、前記第１側板部と前記第１側壁部との間隔に対応する形状を有する、請求項１３に記載の仏壇。
【発明の詳細な説明】
【技術分野】
【０００１】
本発明は、仏壇に関する。
【背景技術】
【０００２】
一般に、小型の仏壇が知られている。このような仏壇として、特許文献１に記載の仏壇は、持ち運び可能な仏壇であり、御本尊を表したものを配置し得る蓋部材を箱本体に直立させて使用する。箱本体には、仏具を載置し得る檀座が配置される。箱本体の左右両側部の内側に設けられる突条部は、檀座の両側部に設けられる溝部と係合する。檀座は、箱本体に対してスライド可能である。蓋部材は、檀座の後端部に取り付けられており、箱本体を開閉可能である。檀座の内側には、仏具を収納可能な空間が設けられる。特許文献１に記載の仏壇によれば、檀座の内側から仏具を取り出す場合、檀座を一定距離以上前方に押し進めて突条部と溝部との係合を外すことによって、檀座を箱本体から上方に取り出す。
【先行技術文献】
【特許文献】
【０００３】
【特許文献１】特開２００３−６１８１１号公報
【発明の概要】
【発明が解決しようとする課題】
【０００４】
しかしながら、本願の発明者は、鋭意研究により、箱本体から檀座（台）をできる限り取り外すことなく、台の内側から礼拝に関する対象物を出し入れできることが必要であることを見出した。すなわち、礼拝の際に、周辺に載置される礼拝に関する対象物の載置状態が乱れることを低減する必要があることを見出した。
【０００５】
本発明は上記課題に鑑みてなされたものであり、礼拝の際に、周辺に載置される礼拝に関する対象物の載置状態が乱れることを低減できる仏壇を提供することを目的とする。
【課題を解決するための手段】
【０００６】
本発明に係る仏壇は、本体と、台と、蓋と、連結部とを備える。前記本体は、天面が開口した箱状である。前記台は、箱状であり、前記本体に収容される。前記蓋は、底面が開口した箱状であり、前記本体の前記天面を塞ぐ。前記連結部は、前記台と前記蓋とを連結する。前記蓋は、前記本体に前記台を収容している収容状態で、前記連結部を支点として回動して、前記本体の前記天面に起立可能である。前記本体は、底壁部と、前記底壁部から互いに対向して立設する第１側壁部及び第２側壁部とを含む。前記第２側壁部は、前記本体の前記天面と隣接する切り欠かれた領域である第１切欠領域を有する。前記台は、天板部と、前記天板部の内側面から突出する第１側板部と、前記第１側板部と対向して前記内側面から突出する第２側板部とを含む。前記第２側板部は、前記台の底面と隣接する切り欠かれた領域である第２切欠領域を有しており、前記収容状態で前記第１切欠領域を閉塞又は開放可能である。前記台は、前記収容状態で、前記第２側壁部から前記第１側壁部へ向かう第１方向、又は前記第１方向の逆方向である第２方向にスライド可能である。前記台が前記収容状態で前記第１方向にスライドする動作に応じて、前記第２側板部は、前記第１切欠領域を閉塞している閉塞状態から、前記第１切欠領域を開放している開放状態へ遷移する。前記第２切欠領域は、前記閉塞状態では開放されず、前記開放状態では前記台の内側に礼拝に関する第１対象物を出し入れ可能に開放される。
【０００７】
ある実施形態において、前記収容状態で、前記台の前記底面からの前記第２切欠領域の高さは、前記台の前記底面から前記天板部の天面までの高さの半分よりも大きい。
【０００８】
ある実施形態において、前記蓋は、前記連結部を支点として回動して、当接状態と、非当接状態との間を遷移する。前記当接状態は、前記蓋が当接位置に位置する状態を示す。前記当接位置は、前記蓋の前記底面が前記本体の前記天面と当接している当接面を有する位置を示す。前記非当接状態は、前記蓋が非当接位置に位置する状態を示す。前記非当接位置は、前記蓋の前記底面が前記当接面を有しない位置を示す。前記非当接状態は、起立状態と傾き状態とを含む。前記起立状態は、前記蓋が前記非当接位置のうちの起立位置に位置する状態を示す。前記起立位置は、前記蓋が前記本体の前記天面に起立して保持される位置を示す。前記傾き状態は、前記蓋が前記非当接位置のうちの傾き位置に位置する状態を示す。前記傾き位置は、前記蓋の前記底面が前記本体の前記天面に近づく方向に前記起立位置よりも傾いている位置を示す。前記台は、前記起立状態で、前記当接状態又は前記傾き状態よりもスライドする動作が抑制される。
【０００９】
ある実施形態において、前記本体は、前記第１方向又は前記逆方向にスライドするように前記台を案内する案内部を更に含む。前記台は、前記案内部と係合する係合部を更に含む。前記蓋が前記起立状態で前記連結部を介して前記台を押し上げることによって、前記係合部は、前記第１方向と交差する交差方向に前記案内部を押圧する。
【００１０】
ある実施形態において、前記蓋は、第１磁石と、第２磁石とを更に含む。前記本体は、前記第１磁石と異なる極性を有する第３磁石と、前記第２磁石と異なる極性を有する第４磁石とを更に含む。前記第１磁石は、前記起立状態で、前記第３磁石と対向する。前記第２磁石は、前記起立状態で、前記第４磁石と対向する。
【００１１】
ある実施形態において、前記台は、前記当接状態で、前記傾き状態よりもスライドする動作が抑制される。
【００１２】
ある実施形態において、前記台は、前記第１対象物を載置可能な載置部を更に含む。前記載置部は、前記台の内側に配置され、前記開放状態で前記第２切欠領域を介して出し入れ可能である。前記第１対象物は、遺骨を含む。
【００１３】
ある実施形態において、前記台は、前記第１対象物を載置可能な載置部を更に含む。前記天板部は、前記第１側板部と、前記第２側板部とに対して、離間可能である。前記載置部は、前記台の内側に配置される。前記第１対象物は、遺骨を含む。
【００１４】
ある実施形態において、前記天板部は、前記天板部の前記天面と平行に延びる第１溝部を有する。前記第１溝部に板状の仏具が挿し込まれた場合、前記仏具は、前記溝部の長手方向にスライド可能である。
【００１５】
ある実施形態において、第２溝部を有する台座を更に備える。前記台座の底部の形状は、前記第１溝部の形状に対応している。前記台座の前記底部が前記第１溝部に挿し込まれた状態で、前記第２溝部に前記仏具が挿し込まれた場合、前記仏具は、前記第２溝部の長手方向にスライド可能である。
【００１６】
ある実施形態において、前記仏壇は、前記仏具を更に備える。前記仏具の底部の形状は、前記第１溝部又は前記第２溝部の形状に対応している。前記仏具は、位牌又は過去帳を含む。
【００１７】
ある実施形態において、前記第１溝部は、前記第１溝部の長手方向から見た場合に、前記天板部の前記天面から矩形状に凹むとともに、前記第１溝部の底部から前記第１溝部の短手方向に更に凹む。前記仏具の前記底部は、前記第１溝部の前記底部の形状に対応して前記仏具の厚み方向に突出する。
【００１８】
ある実施形態において、礼拝に関する第２対象物を収納可能な収納箱を更に備える。前記収納箱は、前記第１側板部と前記第１側壁部との間に着脱可能に載置される。前記収納箱は、前記第１側板部と前記第１側壁部との間から取り外された状態で、前記収納箱の底板を天面として前記本体の外部に載置された場合、前記第２対象物を前記収納箱の前記天面に載置可能である。
【００１９】
ある実施形態において、前記収納箱は、前記収容状態かつ前記閉塞状態で、前記第１側板部と前記第１側壁部との間隔に対応する形状を有する。
【発明の効果】
【００２０】
本発明の仏壇によれば、礼拝の際に、周辺に載置される礼拝に関する対象物の載置状態が乱れることを低減できる。
【図面の簡単な説明】
【００２１】
【図１】（ａ）及び（ｂ）は、本発明の実施形態に係る仏壇を示す斜視図である。
【図２】本実施形態に係る仏壇の本体を示す斜視図である。
【図３】本実施形態に係る仏壇の台を示す斜視図である。
【図４】本実施形態に係る仏壇の台と、蓋と、連結部とを示す斜視図である。
【図５】（ａ）〜（ｃ）は、本実施形態に係る仏壇を示す側面図である。
【図６】本実施形態に係る仏壇を示す側面図である。
【図７】（ａ）は、本実施形態に係る仏壇を示す側面図であり、（ｂ）は、図７（ａ）のＶＩＩＢ−ＶＩＩＢ線に沿った断面図の一例である。
【図８】本実施形態に係る仏壇を示す斜視図である。
【図９】（ａ）及び（ｂ）は、それぞれ、図７（ａ）のＩＸＡ−ＩＸＡ線及びＩＸＢ−ＩＸＢ線に沿った断面図の一例である。
【図１０】本実施形態に係る仏壇を示す斜視図である。
【図１１】（ａ）は、本実施形態に係る仏壇を示す斜視図であり、（ｂ）及び（ｃ）は、本実施形態に係る仏壇の台と仏具とを示す図である。
【図１２】（ａ）〜（ｄ）は、それぞれ、図１１（ｂ）のＸＩＩＡ−ＸＩＩＡ線、ＸＩＩＢ−ＸＩＩＢ線、ＸＩＩＣ−ＸＩＩＣ線、及びＸＩＩＤ−ＸＩＩＤ線に沿った断面図の一例である。
【図１３】（ａ）及び（ｂ）は、本実施形態に係る台座を示す斜視図であり、（ｃ）は、本実施形態に係る仏壇を示す斜視図である。
【図１４】本実施形態に係る仏壇の本体と、台と、収納箱と、第２対象物とを示す図である。
【図１５】本実施形態に係る仏壇と第２対象物とを示す図である。
【図１６】本実施形態に係る仏壇と第２対象物とを示す図である。
【発明を実施するための形態】
【００２２】
以下、本発明の実施形態について、図面を参照しながら説明する。なお、図中、同一又は相当部分については同一の参照符号を付して説明を繰り返さない。また、本実施形態において、三次元直交座標系のＸ軸及びＹ軸は水平方向に平行であり、Ｚ軸は鉛直方向に平行である。Ｘ軸に沿った方向のうち、正方向は、本発明の「第１方向Ｄ１」の一例である。
【００２３】
図１を参照して、本発明に係る仏壇１００の実施形態を説明する。図１（ａ）及び（ｂ）は、仏壇１００を示す斜視図である。図１（ａ）及び（ｂ）に示すように、仏壇１００は、本体３０と、台２０と、連結部４０と、蓋１０とを備える。仏壇１００は、例えば、携帯して持ち運び可能な小型の仏壇である。本体３０と台２０と蓋１０との各々は、木、合成樹脂、又は金属のような種々の材料で構成され得る。
【００２４】
本体３０は、箱状であり、例えば、浅型の略直方体である。本体３０は、第１側壁部３１と、第２側壁部３２と、底壁部３５と、天面３０Ａとを含む。以下、「本体３０の天面３０Ａ」を「第１天面３０Ａ」と記載することがある。第１側壁部３１と第２側壁部３２とは、互いに対向して底壁部３５から立設する。底壁部３５は、例えば、矩形状である。第１天面３０Ａは、開口する。具体的には、第１天面３０Ａは、壁部分と開口部分とを有する。本体３０は、台２０及び各種の仏具を収容可能である。以下、本体３０に台２０を収容している状態を「収容状態」と記載することがある。図１（ａ）及び（ｂ）は、「収容状態」の一例を示す。
【００２５】
台２０は、箱状であり、例えば、浅型の略直方体である。台２０は、第１側板部２１と、第２側板部２２と、天板部２５と、底面２０Ａとを含む。以下、「台２０の底面２０Ａ」を「第１底面２０Ａ」と記載することがある。第１側板部２１と第２側板部２２とは、天板部２５の内側面からそれぞれ突出する。第１側板部２１と第２側板部２２とは、互いに対向する。天板部２５は、例えば、略正方形である。第１底面２０Ａは、例えば、開口する。具体的には、第１底面２０Ａは、例えば、板部分と開口部分とを有する。台２０は、本体３０に収容され、例えば、経机として機能する。礼拝の際、台２０上には、例えば、三具足のような仏具が載置物として載置される。
【００２６】
台２０は、収容状態で、第１方向Ｄ１、又は第１方向Ｄ１の逆方向である第２方向Ｄ２にスライド可能である。第１方向Ｄ１は、第２側壁部３２から第１側壁部３１へ向かう方向を示す。第２方向Ｄ２は、第１側壁部３１から第２側壁部３２へ向かう方向を示す。例えば、台２０は、収容状態を維持したまま、本体３０の第１天面３０Ａの長手方向の長さに応じて長手方向に沿ってスライド可能である。
【００２７】
連結部４０は、台２０と蓋１０とを連結する。以下、「連結部４０」を「第１連結部４０」と記載することがある。詳細には、第１連結部４０は、台２０に対して蓋１０を回動可能に、台２０と蓋１０とを連結する。第１連結部４０は、例えば、平蝶番、又はトルクヒンジのような蝶番である。第１連結部４０を構成する材料は、例えば金属である。
【００２８】
蓋１０は、箱状であり、例えば、浅型の略直方体である。蓋１０は、底面１０Ａを含む。以下、「蓋１０の底面１０Ａ」を「第２底面１０Ａ」と記載することがある。第２底面１０Ａは、開口する。具体的には、第２底面１０Ａは、壁部分と開口部分とを有する。
【００２９】
蓋１０は、第１連結部４０を支点として回動する。詳細には、蓋１０は、収容状態で、第１連結部４０を支点として開方向Ｄ３に回動して、本体３０の第１天面３０Ａに起立可能である。開方向Ｄ３は、第２底面１０Ａが第１天面３０Ａと平行に対向する位置から離間する方向を示す。また、蓋１０は、閉方向Ｄ４に回動して第１天面３０Ａを塞ぐこともできる。閉方向Ｄ４は、開方向Ｄ３の逆方向を示す。なお、図１（ａ）で示す二点鎖線は、第１天面３０Ａを塞ぐように、蓋１０が閉方向Ｄ４に回動するとともに第２方向Ｄ２にスライドした状態を示す。蓋１０は、起立した状態では、例えば、礼拝に関する対象物の配置スペースとして機能する。以下、蓋１０が起立した状態で、蓋１０のうち第２底面１０Ａが露出する側を仏壇１００の正面側と記載することがあり、正面側の裏面側を仏壇１００の背面側と記載することがある。
【００３０】
図１（ｂ）に示すように、台２０の内側には、礼拝に関する第１対象物Ｔを収容可能である。第１対象物Ｔは、例えば、仏具、位牌、過去帳、故人の写真、写真を入れたフォトフレーム、ＵＳＢ（Ｕｎｉｖｅｒｓａｌ  Ｓｅｒｉａｌ  Ｂｕｓ）フラッシュドライブ、又は遺骨である。遺骨は、例えば、納骨のための納骨容器に収容される。例えば、納骨容器が台２０の内側に載置された場合、仏壇１００は、小型の納骨堂として機能し得る。
【００３１】
本体３０の第２側壁部３２は、側壁領域３２Ａと、第１切欠領域３２Ｂとを有する。第１切欠領域３２Ｂは、本体３０の第１天面３０Ａと隣接する切り欠かれた領域である。すなわち、第１切欠領域３２Ｂは、側壁領域３２Ａと第１天面３０Ａとの間に位置する。
【００３２】
台２０の第２側板部２２は、側板領域２２Ａと、第２切欠領域２２Ｂとを有する。第２切欠領域２２Ｂは、台２０の第１底面２０Ａと隣接する切り欠かれた領域である。すなわち、第２切欠領域２２Ｂは、側板領域２２Ａと第１底面２０Ａとの間に位置する。
【００３３】
第２切欠領域２２Ｂは、収容状態で、台２０のスライド動作に応じて第１切欠領域３２Ｂを閉塞又は開放可能である。詳細には、収容状態で台２０が第１方向Ｄ１にスライドする動作に応じて、第２側板部２２は、閉塞状態から、開放状態へ遷移する。閉塞状態は、第２側板部２２が第１切欠領域３２Ｂを閉塞している状態を示す。開放状態は、第２側板部２２が第１切欠領域３２Ｂを開放している状態を示す。なお、図１（ｂ）は、開放状態を示す。
【００３４】
第２切欠領域２２Ｂは、閉塞状態では開放されず、開放状態では台２０の内側に第１対象物Ｔを出し入れ可能に開放される。すなわち、収容状態のまま、開放状態で仏壇１００の背面側から第１対象物Ｔを出し入れできる。従って、台２０を本体３０から取り外したりすることなく、礼拝に関する第１対象物Ｔを出し入れできる。その結果、礼拝の際に、周辺に載置されている礼拝に関する第１対象物Ｔの載置状態が乱れることを低減できる。さらに、礼拝する際に第１対象物Ｔを出し入れするための工数を低減できる。
【００３５】
次に、図１を参照しつつ、図２を更に参照して、本体３０の構成の詳細について説明する。図２は、本体３０を示す斜視図である。図２に示すように、本体３０は、図１を参照して説明した第１側壁部３１と、第２側壁部３２と、底壁部３５と、第１天面３０Ａとに加えて、第３側壁部３３と、第４側壁部３４と、案内部３６と、第２連結部３７と、把手部３８とを含む。
【００３６】
第３側壁部３３と第４側壁部３４とは、互いに対向して底壁部３５から立設する。第３側壁部３３と第４側壁部３４とは、第１方向Ｄ１に沿って延びる。第３側壁部３３と第４側壁部３４とは、第１側壁部３１と第２側壁部３２とともに、それぞれ、箱状の本体３０の四方の側壁を構成する。第３側壁部３３の端面と、第４側壁部３４の端面と、第１側壁部３１の端面とは、第１天面３０Ａの壁部分を構成する。蓋１０が起立した状態（図１参照）を仏壇１００の正面側から見た場合、第１側壁部３１と、第２側壁部３２と、第３側壁部３３と、第４側壁部３４とは、それぞれ、仏壇１００の正面側と、背面側と、左側と、右側とに配置される。
【００３７】
案内部３６は、収容状態で、第１方向Ｄ１又は第２方向Ｄ２にスライドするように台２０を案内する。案内部３６は、台２０の係合部と係合する。なお、係合部については、図３を参照して後述する。案内部３６は、例えば、突条又は突起である。突条は、係合部の形状に対応して突出する線条である。突起は、係合部の形状に対応して突起する。案内部３６が突条である実施形態において、案内部３６は、係合部の形状と配置に対応して所定長さに第１方向Ｄ１に沿って延びる。
【００３８】
案内部３６は、例えば、第１案内部３６Ａと第２案内部３６Ｂとを含む。第１案内部３６Ａは、例えば、第３側壁部３３の内側面に配置される。第２案内部３６Ｂは、例えば、第１案内部３６Ａと平行に第４側壁部３４の内側面に配置される。
【００３９】
第２連結部３７は、蓋１０の第３連結部と連結する。なお、第３連結部の詳細については、図４を参照して後述する。第２連結部３７は、例えば、掛止金具である。第２連結部３７は、本体３０を蓋１０で閉塞した際に、本体３０を蓋１０と固定するために使用される。
【００４０】
把手部３８は、例えば、取っ手である。把手部３８は、例えば、第１側壁部３１の外側面に配置される。従って、ユーザーが仏壇１００の向きを変えたり、持ち運んだりする際に、手を滑らしたり、仏壇１００を誤って落としたりすることを抑制できる。さらに、本体３０を蓋１０で閉塞して本体３０と蓋１０とを固定した状態で、ユーザーは、仏壇１００を容易に片手で持ち運ぶことができる。従って、仏壇１００を携帯する際の利便性を向上させることができる。
【００４１】
次に、図１と図２とを参照しつつ、図３を更に参照して、台２０の構成の詳細について説明する。図３は、台２０を示す斜視図である。図３に示すように、台２０は、図１を参照して説明した第１側板部２１と、第２側板部２２と、天板部２５と、第１底面２０Ａとに加えて、第３側板部２３と、第４側板部２４と、係合部２６とを含む。
【００４２】
第３側板部２３と第４側板部２４とは、天板部２５の内側面からそれぞれ突出する。第３側板部２３と第４側板部２４とは、互いに対向する。第３側板部２３と第４側板部２４とは、第１側板部２１と第２側板部２２とともに、それぞれ、箱状の台２０の４つの側板を構成する。第３側板部２３の端面と、第４側板部２４の端面と、第１側板部２１の端面とは、第１底面２０Ａの板部分を構成する。蓋１０が起立した状態（図１参照）を仏壇１００の正面側から見た場合、第１側板部２１と、第２側板部２２と、第３側板部２３と、第４側板部２４とは、それぞれ、仏壇１００の正面側と、背面側と、左側と、右側とに配置される。
【００４３】
係合部２６は、本体３０の案内部３６と係合する。係合部２６は、例えば、溝又は切欠き条である。係合部２６は、案内部３６の形状と配置とに対応して所定長さに第１方向Ｄ１に沿って延びる。
【００４４】
係合部２６は、例えば、第１係合部２６Ａと第２係合部２６Ｂとを含む。第１係合部２６Ａは、例えば、第３側板部２３の外側面に配置される。第２係合部２６Ｂは、例えば、第１係合部２６Ａと平行に第４側板部２４の外側面に配置される。係合部２６が案内部３６と係合することにより、本体３０に対して台２０を簡素な構成でスライドさせることができる。
【００４５】
次に、図１〜図３を参照しつつ、図４を更に参照して、蓋１０の構成の詳細について説明する。図４は、台２０と、蓋１０と、第１連結部４０とを示す斜視図である。図４に示すように、蓋１０は、図１を参照して説明した第２底面１０Ａに加えて、第５側壁部１１と、第６側壁部１２と、第７側壁部１３と、第８側壁部１４と、天壁部１５と、棚部１６と、第３連結部１７とを含む。
【００４６】
第５側壁部１１と第６側壁部１２と第７側壁部１３と第８側壁部１４とは、天壁部１５の内側面からそれぞれ突出する。第５側壁部１１と第６側壁部１２とは、互いに対向する。第７側壁部１３と第８側壁部１４とは、互いに対向する。第５側壁部１１と第６側壁部１２と第７側壁部１３と第８側壁部１４とは、それぞれ、箱状の蓋１０の４つの側壁を構成する。第５側壁部１１の端面と、第６側壁部１２の端面と、第７側壁部１３の端面と、第８側壁部１４の端面とは、第２底面１０Ａの壁部分を構成する。天壁部１５は、本体３０の底壁部３５の形状と対応しており、例えば、矩形状である。天壁部１５の内側面は、引掛部（図示せず）を有する。引掛部には、例えば、御本尊の掛け軸を引掛け可能である。蓋１０が起立した状態（図１参照）を仏壇１００の正面側から見た場合、第５側壁部１１と、第６側壁部１２と、第７側壁部１３と、第８側壁部１４とは、それぞれ、仏壇１００の天面側と、底面側と、左側と、右側とに配置される。
【００４７】
棚部１６は、例えば、矩形状の棚材である。棚部１６は、第７側壁部１３と第８側壁部１４と接続する。棚部１６は、第５側壁部１１と第６側壁部１２とに平行に、第５側壁部１１と第６側壁部１２との間に配置される。棚部１６には、第１対象物Ｔを載置可能である。さらに、棚部１６は、凹部１６Ａを有することが好ましい。さらに、凹部１６Ａは、貫通孔であってもよい。凹部１６Ａには、例えば、個人の写真又は掛け軸の底部を挿し入れることができる。
【００４８】
第１連結部４０は、例えば、第６側壁部１２と、台２０の第２側板部２２とをそれぞれ一定深さに座ぐりして取り付けられる。従って、蝶番のような第１連結部４０が第６側壁部１２と第２側板部２２との外側面から突出することを低減できる。その結果、蓋１０が本体３０の第１天面３０Ａを塞いでいる状態で仏壇１００を床に立てて置く際に、すなわち、第６側壁部１２と第２側板部２２とを下面として仏壇１００を床に載置する際に、仏壇１００がぐらついて倒れることを抑制できる。
【００４９】
第３連結部１７は、本体３０の第２連結部３７（図２参照）と連結する。第３連結部１７は、例えば、引掛け金具である。第３連結部１７は、本体３０を蓋１０で閉塞した際に、本体３０を蓋１０と固定するために使用される。従って、仏壇１００を持ち運ぶ際、本体３０を蓋１０で閉塞した状態を容易に維持できる。
【００５０】
次に、図１〜図４を参照しつつ、図５を更に参照して、仏壇１００の組み立て動作について説明する。図５（ａ）〜（ｃ）は、仏壇１００を示す側面図である。蓋１０と台２０とを図５（ａ）から図５（ｃ）の順に動作させることによって、仏壇１００は、蓋１０が本体３０の第１天面３０Ａを塞いでいる状態から、蓋１０が第１天面３０Ａに起立した状態にまで組み立てられる。以下、蓋１０が本体３０の第１天面３０Ａを塞いでいる状態、すなわち、仏壇１００全体の形状が箱状である状態を「箱状態」と記載することがある。
【００５１】
図５（ａ）に示すように、例えば、仏壇１００を使用しないとき、仏壇１００は、箱状態で保管される。詳細には、箱状態は、収納状態、かつ、本体３０の第１側壁部３１の外側面と、蓋１０の第５側壁部１１の外側面とが略面一である状態、かつ、本体３０の第２側壁部３２の外側面と、蓋１０の第６側壁部１２の外側面とが略面一である状態を示す。箱状態は、第２側板部２２の閉塞状態を兼ねる。まず、第６側壁部１２を第１方向Ｄ１に押圧する。
【００５２】
第６側壁部１２が第１方向Ｄ１に押圧されると、図５（ｂ）に示すように、蓋１０は、台２０とともに第１方向Ｄ１に所定距離をスライドする。すなわち、第６側壁部１２の外側面は、第２側壁部３２の外側面に対して第１方向Ｄ１にずれる。第６側壁部１２の外側面が第２側壁部３２の外側面に対して第１方向Ｄ１にずれた状態は、第２側板部２２の開放状態を兼ねる。続いて、蓋１０を開方向Ｄ３に引き起こす。
【００５３】
蓋１０が開方向Ｄ３に引き起こされると、図５（ｃ）に示すように、蓋１０は、本体３０の第１天面３０Ａに起立し、起立した状態が保持される。蓋１０が第１天面３０Ａに起立した状態で、第６側壁部１２の外側面は、本体３０の第１天面３０Ａのうち壁部分に当接する。詳細には、第６側壁部１２の外側面は、第３側壁部３３の天面と、第４側壁部３４の天面とに当接して安定する。
【００５４】
蓋１０が第１天面３０Ａに起立した状態で台２０上に三具足のような仏具を載置し、蓋１０に御本尊の掛け軸のような仏具を吊り下げれば、仏壇として祀ることが可能である。なお、台２０を更に一定距離以上第１方向Ｄ１に押し進めると、係合部２６と案内部３６との係合が外れて、本体３０から台２０を仏壇１００の天面側へ取り出し可能である。台２０を本体３０に組み付けて仏壇１００を箱状態に戻す場合、図５（ａ）〜（ｃ）を参照して説明した手順の逆の手順で組み付ければよい。
【００５５】
次に、図１〜図５を参照しつつ、図６〜図８を更に参照して、蓋１０の回動動作と台２０のスライド動作との詳細について説明する。図６及び図７（ａ）は、仏壇１００を示す側面図である。図７（ｂ）は、図７（ａ）のＶＩＩＢ−ＶＩＩＢ線に沿った断面図の一例である。図８は、仏壇１００を示す斜視図である。図６に示すように、蓋１０は、第１連結部４０を支点として回動して、当接状態と、非当接状態との間を遷移する。
【００５６】
当接状態は、蓋１０が当接位置ＰＡに位置する状態を示す。図５を参照して説明した箱状態は、当接状態の一例である。当接位置ＰＡは、蓋１０の第２底面１０Ａが当接面１０Ａ１を有する位置を示す。当接面１０Ａ１は、本体３０の第１天面３０Ａと当接している。すなわち、当接面１０Ａ１は、第１天面３０Ａの壁部分と当接している。なお、当接位置ＰＡは、台２０のスライド動作に応じて第１方向Ｄ１又は第２方向Ｄ２に変位し得る。
【００５７】
非当接状態は、蓋１０が非当接位置ＰＢに位置する状態を示す。非当接位置ＰＢは、蓋１０の第２底面１０Ａが当接面１０Ａ１を有しない位置を示す。非当接状態は、起立状態と傾き状態とを含む。
【００５８】
起立状態は、蓋１０が非当接位置ＰＢのうちの起立位置ＰＢ１に位置する状態を示す。起立位置ＰＢ１は、蓋１０が本体３０の第１天面３０Ａに起立して保持される位置を示す。
【００５９】
傾き状態は、蓋１０が非当接位置ＰＢのうちの傾き位置ＰＢ２に位置する状態を示す。傾き位置ＰＢ２は、蓋１０の第２底面１０Ａが本体３０の第１天面３０Ａに近づく方向に起立位置ＰＢ１よりも傾いている位置を示す。
【００６０】
台２０は、起立状態で、当接状態又は傾き状態よりもスライドする動作が抑制されることが好ましい。すなわち、蓋１０は、当接状態又は傾き状態よりも、起立状態でスライド動作が抑制される。従って、仏壇１００を起立状態で使用している際に、意図しない横揺れで台２０と蓋１０とが位置ずれしたり、台２０上の載置物の配置が乱れたりすることを抑制できる。さらに、蓋１０の位置をずらしたい場合には、当接状態又は傾き状態で蓋１０をスライドできる。さらに、起立状態のままであっても、第１方向Ｄ１又は第２方向Ｄ２に蓋１０をやや強く押せば、蓋１０をスライドし得る。従って、礼拝の際の利便性を維持するとともに、仏壇１００の姿勢の安定性を向上させることができる。
【００６１】
例えば、図７（ａ）に示すように、起立状態で蓋１０の重心が第２方向Ｄ２に偏ると、蓋１０が第１連結部４０を介して台２０の第２側板部２２を交差方向Ｄ５に少し持ち上げる。交差方向Ｄ５は、第１方向Ｄ１と交差する方向を示す。
【００６２】
第２側板部２２が交差方向Ｄ５に持ち上げると、図７（ｂ）に示すように、本体３０の第１案内部３６Ａは、第１係合部２６Ａの天面２６Ａ１に押しつけられる。同様に、第２案内部３６Ｂは、第２係合部２６Ｂの天面２６Ｂ１に押しつけられる。すなわち、蓋１０が起立状態で第１連結部４０を介して台２０を押すことによって、係合部２６は、交差方向Ｄ５に案内部３６を押圧する。従って、礼拝の際の利便性を維持するとともに、簡素な構成で仏壇１００の形態の安定性を向上させることができる。
【００６３】
また、例えば、図８に示すように、蓋１０は、第１磁石１８と、第２磁石１９とを更に含むことが好ましい。第１磁石１８は、第７側壁部１３側寄りの第６側壁部１２の端部、又は第７側壁部１３の端部に配置される。第２磁石１９は、第８側壁部１４側寄りの第６側壁部１２の端部、又は第８側壁部１４の端部に配置される。第１磁石１８と第２磁石１９との各々は、例えば、円柱状、楕円柱状、又は角柱状の永久磁石である。第１磁石１８と第２磁石１９との各々は、例えば、Ｎ極磁石である。第１磁石１８と第２磁石１９との各々は、第６側壁部１２の外側面と面一であるように埋め込まれることが好ましい。
【００６４】
さらに、本体３０は、第３磁石３０Ｂと、第４磁石３０Ｃとを更に含むことが好ましい。第３磁石３０Ｂは、例えば、第１天面３０Ａを構成する第３側壁部３３の端面に配置される。第４磁石３０Ｃは、例えば、第１天面３０Ａを構成する第４側壁部３４の端面に配置される。第３磁石３０Ｂと第４磁石３０Ｃとの各々は、例えば、円柱状、楕円柱状、又は角柱状の永久磁石である。第３磁石３０Ｂは、第１磁石１８と異なる極性を有する。第４磁石３０Ｃは、第２磁石１９と異なる極性を有する。第３磁石３０Ｂと第４磁石３０Ｃとは、例えば、Ｓ極磁石である。第３磁石３０Ｂと第４磁石３０Ｃとの各々は、第１天面３０Ａと面一であるように埋め込まれることが好ましい。
【００６５】
第１磁石１８は、起立状態で、第３磁石３０Ｂと対向する。第２磁石１９は、起立状態で、第４磁石３０Ｃと対向する。例えば、収容状態における第１側壁部３１と第１側板部２１とが当接する状態で、第１磁石１８と第２磁石１９とは、それぞれ、第３磁石３０Ｂと第４磁石３０Ｃとに対向する。従って、蓋１０は、磁力の作用によって、当接状態又は傾き状態よりも起立状態でスライド動作が抑制される。その結果、簡素な構成で仏壇１００の形態の安定性を更に向上させることができる。さらに、第１磁石１８と第２磁石１９との各々が第６側壁部１２の外側面と面一であるように埋め込まれるとともに、第３磁石３０Ｂと第４磁石３０Ｃとの各々が第１天面３０Ａと面一であるように埋め込まれることにより、蓋１０をスライドする際に、磁石同士が引っ掛かることを抑制できる。
【００６６】
なお、台２０は、当接状態で、傾き状態よりもスライドする動作が抑制されてもよい。詳細には、台２０がスライドする動作は、起立状態と当接状態とで規制され、傾き状態で規制されないようにしてもよい。例えば、第２底面１０Ａを構成する第７側壁部１３の端面と第８側壁部１４の端面とに、それぞれ、第１方向Ｄ１に沿って延びる２つの帯状磁石（図示せず）が埋め込まれる。当接状態で、２つの帯状磁石は、それぞれ、第３磁石３０Ｂと第４磁石３０Ｃとに対向する。蓋１０は、起立状態と同様に、磁力の作用によって、傾き状態よりも当接状態でスライド動作が抑制される。すなわち、台２０は、蓋１０の傾き状態でのみスライド可能である。従って、礼拝の際の起立状態で、意図せず蓋１０が背後にずれて倒れることを抑制できる。さらに、当接状態で蓋１０を本体３０に対してスライドさせる際に、本体３０の第１天面３０Ａの壁部分と蓋１０の第２底面１０Ａの壁部分とが擦れて傷付くことを抑制できる。
【００６７】
次に、図９を参照して、第２側板部２２の開放状態の詳細について説明する。図９（ａ）及び（ｂ）は、それぞれ、図７（ａ）のＩＸＡ−ＩＸＡ線及びＩＸＢ−ＩＸＢ線に沿った断面図の一例である。図９（ａ）に示すように、収容状態で、高さＨ２は、高さＨ１の半分よりも大きいことが好ましい。高さＨ２は、台２０の第１底面２０Ａからの第２切欠領域２２Ｂの高さを示す。高さＨ１は、第１底面２０Ａから天板部２５の第２天面２５Ａまでの高さを示す。すなわち、収容状態で、台２０の背面側は、できる限り大きく切り欠かれていることが好ましい。高さＨ２が例えば高さＨ１の半分よりも大きいことにより、背の高い第１対象物Ｔであっても第２切欠領域２２Ｂを介して容易に出し入れできる。
【００６８】
さらに、図９（ｂ）に示すように、第１対象物Ｔは、遺骨を含むことがある。そして、台２０は、第１対象物Ｔを載置可能な載置部２７を更に含むことが好ましい。載置部２７は、例えば、小型の箱、又はトレーである。載置部２７の材質は、例えば、桐材が好ましい。桐材は、防燃性及び防虫性に優れる。載置部２７は、蓋（図示せず）を有していてもよい。納骨容器Ｔ１のような第１対象物Ｔは、載置部２７に載置されて台２０の内側に大事に格納される。納骨容器Ｔ１は、薄型の箱状であることが好ましい。納骨容器Ｔ１の材質は、例えば、陶器製、クリスタル製、又は樹脂製である。載置部２７は、台２０の内側に配置されており、例えば、開放状態で第２切欠領域２２Ｂを介して出し入れ可能である。従って、納骨容器Ｔ１のような第１対象物Ｔであっても台２０の内側に安定して載置できるとともに、台２０の内側から容易に取り出すことができる。その結果、外出時に携帯可能な仏壇において手元供養を容易に実現できる。すなわち、礼拝者の想いを尊重し得るとともに、礼拝の際の利便性を向上させることができる。
【００６９】
なお、図１０に示すように、台２０の天板部２５は、第１側板部２１と、第２側板部２２とに対して、離間可能であることが好ましい。図１０は、仏壇１００を示す斜視図である。詳細には、天板部２５は、第５磁石２５Ｃ１と第６磁石２５Ｃ２とを含む。第５磁石２５Ｃ１と第６磁石２５Ｃ２との各々は、例えば、円柱状、楕円柱状、又は角柱状の永久磁石である。第５磁石２５Ｃ１と第６磁石２５Ｃ２との各々は、例えば、Ｎ極磁石である。第５磁石２５Ｃ１と第６磁石２５Ｃ２との各々は、天板部２５の内側面２５Ｃと面一であるように埋め込まれることが好ましい。
【００７０】
さらに、例えば、第３側板部２３は、第７磁石２３Ａ１を含み、第４側板部２４は、第８磁石２４Ａ１を含む。第７磁石２３Ａ１と第８磁石２４Ａ１との各々は、例えば、円柱状、楕円柱状、又は角柱状の永久磁石である。第７磁石２３Ａ１は、第５磁石２５Ｃ１と異なる極性を有する。第８磁石２４Ａ１は、第６磁石２５Ｃ２と異なる極性を有する。第７磁石２３Ａ１と第８磁石２４Ａ１との各々は、例えば、Ｓ極磁石である。第７磁石２３Ａ１は、第３側板部２３の端面２３Ａと面一であるように埋め込まれることが好ましい。第８磁石２４Ａ１は、第４側板部２４の端面２４Ａと面一であるように埋め込まれることが好ましい。
【００７１】
天板部２５の内側面２５Ｃが第１側板部２１と、第２側板部２２の側板領域２２Ａと、第３側板部２３と、第４側板部２４とに対向する状態で、第５磁石２５Ｃ１と第６磁石２５Ｃ２とは、それぞれ、第７磁石２３Ａ１と第８磁石２４Ａ１とに対向する。従って、天板部２５は、第１側板部２１と、第２側板部２２の側板領域２２Ａと、第３側板部２３と、第４側板部２４とに対して、取り外したり取り付けたりできる。このように、天板部２５が着脱可能であることにより、例えば、大きなサイズの載置部２７であっても台２０の内側に容易に載置できる。すなわち、載置部２７のサイズが大きいために開放状態で第２切欠領域２２Ｂを介して載置部２７を出し入れできない場合に、天板部２５を取り外した開口から載置部２７を容易に出し入れできる。従って、第１対象物Ｔの数が多い場合、又は第１対象物Ｔのサイズが大きい場合であっても、台２０の内側に第１対象物Ｔを収容できる。例えば、３つ又は４つのような複数の納骨容器Ｔ１を載置部２７に載置して台２０の内側に収容できる。
【００７２】
次に、図１と図３とを参照しつつ、更に図１１と図１２とを参照して、台２０の構成の詳細について更に説明する。図１１（ａ）は、仏壇１００を示す斜視図である。図１１（ｂ）及び（ｃ）は、台２０と仏具Ｔ２とを示す図である。図１２（ａ）〜（ｄ）は、それぞれ、図１１（ｂ）のＸＩＩＡ−ＸＩＩＡ線、ＸＩＩＢ−ＸＩＩＢ線、ＸＩＩＣ−ＸＩＩＣ線、及びＸＩＩＤ−ＸＩＩＤ線に沿った断面図の一例である。
【００７３】
図１１（ａ）に示すように、台２０の天板部２５は、第１溝部２５Ｂを有することが好ましい。第１溝部２５Ｂは、天板部２５の第２天面２５Ａと平行に延びる。第１溝部２５Ｂには、板状の仏具Ｔ２が挿し込まれる。板状の仏具Ｔ２は、例えば、位牌、又は過去帳である。仏具Ｔ２の材質は、例えば、白木の板材、唐木（例えば、黒檀、紫檀、又は花梨）の板材、又は黒塗りの板材である。挿し込まれた仏具Ｔ２は、第１溝部２５Ｂの長手方向Ｄ６にスライド可能である。従って、仏具Ｔ２の配置を選択する自由度を向上させることができる。
【００７４】
図１１（ｂ）に示すように、例えば、第１溝部２５Ｂには、少なくとも１つの仏具Ｔ２を配置できる。また、図１１（ｃ）に示すように、配置する仏具Ｔ２の数を増やす場合、既に挿されている仏具Ｔ２をスライドして新たな仏具Ｔ２を挿せばよい。仏具Ｔ２が挿されている位置を第１溝部２５Ｂの長手方向Ｄ６にずらすことによって、仏具Ｔ２の配置を容易に調整できる。例えば、挿す位牌の数が偶数であるか奇数であるかに左右されることなく、第１溝部２５Ｂの長手方向Ｄ６の長さの中点、又は、蓋１０の第２底面１０Ａの横幅の中点について対称に位牌を配置できる。従って、仏具Ｔ２を配置するための部品点数を低減するとともに、複数の仏具Ｔ２を簡素な構成でバランス良く配置できる。
【００７５】
さらに、図１２（ａ）に示すように、仏具Ｔ２の端部Ｔ２１の形状は、第１溝部２５Ｂの形状と対応していることが好ましい。また、仏具Ｔ２の端部Ｔ２１の形状は、棚部１６の凹部１６Ａの形状と対応していてもよいし、後述する台座の第２溝部の形状と対応していてもよい。以下では、一例として、仏具Ｔ２の端部Ｔ２１の形状が第１溝部２５Ｂの形状に対応している場合について説明する。仏具Ｔ２は、例えば、位牌又は過去帳である。仏壇１００は、このような仏具Ｔ２を備えることが好ましい。仏具Ｔ２の端部Ｔ２１の形状が、第１溝部２５Ｂの形状に対応していることにより、第１溝部２５Ｂに挿し込まれた仏具Ｔ２のがたつきを低減できる。
【００７６】
例えば、図１２（ｂ）に示すように、仏具Ｔ２は、例えば、突出部Ｔ２２を有する。突出部Ｔ２２は、端部Ｔ２１の底面から突出する。突出部Ｔ２２は、仏具Ｔ２を第１溝部２５Ｂに挿し込んだ状態で、第１溝部２５Ｂの長手方向Ｄ６に延びる。突出部Ｔ２２の形状は、第１溝２５Ｂの形状に対応する。
【００７７】
さらに、図１２（ｃ）に示すように、第１溝部２５Ｂは、第１溝部２５Ｂの長手方向Ｄ６から見た場合に、天板部２５の第２天面２５Ａから矩形状に凹むとともに、第１溝部２５Ｂの底部２５Ｂ１から第１溝部２５Ｂの短手方向Ｄ７に更に凹むことが好ましい。仏具Ｔ２の端部Ｔ２１は、第１溝部２５Ｂの底部２５Ｂ１の形状に対応して、仏具Ｔ２の厚み方向Ｄ８に突出する。従って、仏具Ｔ２が第１溝部２５Ｂから不意に抜けて倒れることを低減できる。
【００７８】
さらに、図１２（ｄ）に示すように、第１溝部２５Ｂの互いに対向する内壁２５Ｂ２及び内壁２５Ｂ３のうち、一方の内壁２５Ｂ２の高さを、他方の内壁２５Ｂ３の高さよりも高くすることが好ましい。仏具Ｔ２を配置した場合に、仏具Ｔ２が第１溝部２５Ｂの短手方向Ｄ７に傾いたり、揺れたりすることを低減できる。
【００７９】
さらに、図１３に示すように、仏壇１００は、台座６０を更に備えることが好ましい。図１３（ａ）及び（ｂ）は、台座６０を示す斜視図である。図１３（ｃ）は、仏壇１００を示す斜視図である。図１３（ａ）に示すように、台座６０は、台座本体６１と、第２溝部６２と、突出部６３とを含む。台座本体６１は、例えば、四角柱状である。台座本体６１の材質は、仏具Ｔ２の材質と略同一であることが好ましい。第２溝部６２は、台座本体６１の天面に形成されており、台座本体６１の長手方向に沿って延びる。第２溝部６２は、例えば、複数である。第２溝部６２は、例えば、４つであり、直線状に並ぶ。突出部６３は、台座本体６１の底面から突出しており、台座本体６１の長手方向に沿って延びる。突出部６３の形状は、棚部１６の凹部１６Ａの形状と、天板部２５の第１溝部２５Ｂの形状とに対応する。
【００８０】
さらに、図１３（ｂ）に示すように、第２溝部６２は、例えば、１つであり、台座本体６１の長手方向の幅と略同一の長さを有することが好ましい。
【００８１】
例えば、図１３（ｃ）に示すように、台座６０は、板状の仏具Ｔ２の底部を支持する。従って、位牌又は過去帳のような仏具Ｔ２を格調高く載置できる。詳細には、台座６０の底部は、棚部１６の凹部１６Ａ、又は天板部２５の第１溝部２５Ｂに挿し込まれる。具体的には、突出部６３は、凹部１６Ａ、又は第１溝部２５Ｂに挿し込まれる。従って、仏具Ｔ２をより安定して載置できる。
【００８２】
突出部６３が凹部１６Ａ、又は第１溝部２５Ｂに挿し込まれた状態で、第２溝部６２に仏具Ｔ２が挿し込まれた場合、仏具Ｔ２は、第２溝部６２の長手方向にスライド可能である。従って、複数の仏具Ｔ２を格調高く載置できるとともに、個数に応じてバランス良く配置できる。例えば、複数の仏具Ｔ２は、２つから４つのいずれかであり、親族の構成人数に応じて容易に仏具Ｔ２の配置を調整できる。
【００８３】
次に、図１４〜図１６を参照して、箱状態での仏具の収納と、起立状態での仏具の載置とについて説明する。図１４は、本体３０と、台２０と、収納箱５０と、第２対象物Ｕとを示す図である。図１５及び図１６は、仏壇１００と第２対象物Ｕとを示す図である。
【００８４】
図１４に示すように、仏壇１００は、蓋１０と、台２０と、本体３０と、第１連結部４０とに加えて、収納箱５０を更に備える。収納箱５０は、礼拝に関する第２対象物Ｕを収納可能である。収納箱５０は、例えば、直方体の箱である。収納箱５０は、収納空間を区画する枠５１を有することが好ましい。収納箱５０は、第２側板部２２の閉塞状態で、第１側板部２１と第１側壁部３１との間に着脱可能に載置される。第２対象物Ｕは、香炉Ｕ１、花立てＵ２、灯立てＵ３、御鈴Ｕ４、鈴打ち棒Ｕ５、及び鈴布団Ｕ６のような仏具を含む。仏壇１００が収納箱５０を備えることにより、各種の仏具をコンパクトに収納できるとともに、容易に出し入れできる。
【００８５】
収容状態かつ閉塞状態での平面視において、収納箱５０の短手方向の幅Ｗ１は、第１側板部２１と第１側壁部３１との間隔Ｗ２と、例えば、略同一である。換言すれば、収納箱５０は、収容状態かつ閉塞状態で、第１側板部２１と第１側壁部３１との間隔Ｗ２に対応する形状を有することが好ましい。収納箱５０が収容状態かつ閉塞状態で間隔Ｗ２に対応する形状を有することにより、仏壇１００が箱状態である場合に、意図せず蓋１０が第１方向Ｄ１にスライドすることを抑制できる。従って、仏壇１００の収納力を向上させるとともに、箱状態での仏壇１００の姿勢を安定させることができる。
【００８６】
図１５は、礼拝時における第２対象物Ｕの配置例を示す。図１５に示すように、第２対象物Ｕは、礼拝時に蓋１０の起立状態で載置される。蓋１０には御本尊の掛け軸Ｋが吊り下げられる。台２０上には、例えば、香炉Ｕ１、花立てＵ２、及び灯立てＵ３が載置される。台２０と第１側壁部３１との間には、御鈴Ｕ４が載置されている。本実施形態によれば、礼拝の際に、台２０周辺に第１対象物Ｔをコンパクトに載置できる。
【００８７】
図１６は、礼拝時における第２対象物Ｕの別の配置例を示す。図１６に示すように、収納箱５０は、第１側板部２１と第１側壁部３１との間から取り外された状態で、収納箱５０の底板５２を天面として本体３０の外部に載置された場合、第２対象物Ｕを収納箱５０の天面に載置可能である。収納箱５０上には、例えば、打敷きＳを敷き、打敷きＳの上に香炉Ｕ１、花立てＵ２、灯立てＵ３、御鈴Ｕ４、鈴打ち棒Ｕ５、及び鈴布団Ｕ６を載置する。すなわち、収納箱５０を天地逆向きに本体３０の外部に載置することによって、収納箱５０を経机としても使用できる。従って、部品点数を低減するとともに礼拝に関する対象物を格調高く載置できる。
【００８８】
以上、図面を参照しながら本発明の実施形態を説明した。但し、本発明は、上記の実施形態に限られるものではなく、その要旨を逸脱しない範囲で種々の態様において実施することが可能である。また、複数の実施形態の複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔、組み方等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００８９】
（１）図２と図３とを参照して説明したように、係合部２６は、台２０に配置されており、案内部３６は、本体３０に配置されていたが、本発明はこれに限られない。係合部２６は、例えば、本体３０に配置されてもよい。案内部３６は、例えば、台２０に配置されてもよい。
【００９０】
（２）図８を参照して説明したように、第１磁石１８、第２磁石１９、第３磁石３０Ｂ、及び第４磁石３０Ｃの各々は、例えば、永久磁石であったが、本発明はこれに限られない。第１磁石１８と第３磁石３０Ｂとは、磁力で作用し合いさえすればよい。第１磁石１８と第３磁石３０Ｂとのいずれか一方は、例えば、鉄のような磁性体であってもよい。同様に、第２磁石１９と第４磁石３０Ｃとは、磁力で作用し合いさえすればよい。第２磁石１９と第４磁石３０Ｃといずれか一方は、例えば、鉄のような磁性体であってもよい。
【００９１】
（３）図１〜図１６を参照して説明したように、台２０の第１底面２０Ａは、例えば、板部分と開口部分とを有していたが、本発明はこれに限られない。第１底面２０Ａは、底板で構成されていてもよい。
【００９２】
（４）図７を参照して説明したように、蓋１０が起立状態で第１連結部４０を介して台２０を押すことによって、係合部２６は、交差方向Ｄ５に案内部３６を押圧していた。さらに、図８を参照して説明したように、蓋１０は、第１磁石１８と、第２磁石１９とを含み、本体３０は、第３磁石３０Ｂと、第４磁石３０Ｃとを含んでいた。しかしながら、本発明は、例えば、係合部２６が交差方向Ｄ５に案内部３６を押圧する構成と、第１磁石１８と、第２磁石１９と、第３磁石３０Ｂと、第４磁石３０Ｃとを含む構成とのいずれか一方の構成を備えていてもよいし、双方の構成を備えていてもよい。
【産業上の利用可能性】
【００９３】
本発明は、仏壇の分野に利用可能である。
【符号の説明】
【００９４】
１０      蓋
１００    仏壇
１０Ａ    第２底面
２０      台
２０Ａ    第１底面
２１      第１側板部
２２      第２側板部
２２Ｂ    第２切欠領域
２５      天板部
３０      本体
３０Ａ    第１天面
３１      第１側壁部
３２      第２側壁部
３２Ｂ    第１切欠領域
３５      底壁部
４０      第１連結部（連結部）
Ｄ１      第１方向
Ｄ２      第２方向
Ｔ        第１対象物
【図１】
2020174914.tif 000003
【図２】
2020174914.tif 000004
【図３】
2020174914.tif 000005
【図４】
2020174914.tif 000006
【図５】
2020174914.tif 000007
【図６】
2020174914.tif 000008
【図７】
2020174914.tif 000009
【図８】
2020174914.tif 000010
【図９】
2020174914.tif 000011
【図１０】
2020174914.tif 000012
【図１１】
2020174914.tif 000013
【図１２】
2020174914.tif 000014
【図１３】
2020174914.tif 000015
【図１４】
2020174914.tif 000016
【図１５】
2020174914.tif 000017
【図１６】
2020174914.tif 000018
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
天面が開口した箱状の本体と、
箱状であり、前記本体に収容される台と、
底面が開口した箱状であり、前記本体の前記天面を塞ぐ蓋と、
前記台と前記蓋とを連結する連結部と
を備え、
前記蓋は、前記本体に前記台を収容している収容状態で、前記連結部を支点として回動して、前記本体の前記天面に起立可能であり、
前記本体は、底壁部と、前記底壁部から互いに対向して立設する第１側壁部及び第２側壁部とを含み、
前記第２側壁部は、前記本体の前記天面と隣接する切り欠かれた領域である第１切欠領域を有し、
前記台は、天板部と、前記天板部の内側面から突出する第１側板部と、前記第１側板部と対向して前記内側面から突出する第２側板部とを含み、
前記第２側板部は、前記台の底面と隣接する切り欠かれた領域である第２切欠領域を有しており、前記収容状態で前記第１切欠領域を閉塞又は開放可能であり、
前記台は、前記収容状態で、前記第２側壁部から前記第１側壁部へ向かう第１方向、又は前記第１方向の逆方向である第２方向にスライド可能であり、
前記台が前記収容状態で前記第１方向にスライドする動作に応じて、前記第２側板部は、前記第１切欠領域を閉塞している閉塞状態から、前記第１切欠領域を開放している開放状態へ遷移し、
前記第２切欠領域は、前記閉塞状態では開放されず、前記開放状態では前記台の内側に礼拝に関する第１対象物を出し入れ可能に開放され、
前記蓋は、蓋側第１磁性体、又は蓋側第１磁石を更に含み、
前記本体は、本体側第１磁性体、又は前記蓋側第１磁石と異なる極性を有する本体側第１磁石を更に含み、
前記蓋が前記本体の前記天面に起立している起立状態において、前記蓋側第１磁性体、又は前記蓋側第１磁石は、前記本体の前記天面と対向する前記蓋の対向面に埋め込まれた状態で前記対向面と面一であり、
前記蓋の前記対向面に前記蓋側第１磁性体が埋め込まれている場合、前記起立状態において、前記本体側第１磁石は、前記本体の前記天面に埋め込まれた状態で前記天面と面一であり、前記蓋側第１磁性体と対向し、
前記蓋の前記対向面に前記蓋側第１磁石が埋め込まれている場合、前記起立状態において、前記本体側第１磁性体又は前記本体側第１磁石は、前記本体の前記天面に埋め込まれた状態で前記天面と面一であり、前記蓋側第１磁石と対向する、仏壇。
【請求項２】
前記収容状態で、前記台の前記底面からの前記第２切欠領域の高さは、前記台の前記底面から前記天板部の天面までの高さの半分よりも大きい、請求項１に記載の仏壇。
【請求項３】
前記蓋は、前記連結部を支点として回動して、当接状態と、非当接状態との間を遷移し、
前記当接状態は、前記蓋が当接位置に位置する状態を示し、
前記当接位置は、前記蓋の前記底面が前記本体の前記天面と当接している当接面を有する位置を示し、
前記非当接状態は、前記蓋が非当接位置に位置する状態を示し、
前記非当接位置は、前記蓋の前記底面が前記当接面を有しない位置を示し、
前記非当接状態は、前記起立状態と傾き状態とを含み、
前記起立状態は、前記蓋が前記非当接位置のうちの起立位置に位置する状態を示し、
前記起立位置は、前記蓋が前記本体の前記天面に起立して保持される位置を示し、
前記傾き状態は、前記蓋が前記非当接位置のうちの傾き位置に位置する状態を示し、
前記傾き位置は、前記蓋の前記底面が前記本体の前記天面に近づく方向に前記起立位置よりも傾いている位置を示し、
前記台は、前記起立状態で、前記当接状態又は前記傾き状態よりもスライドする動作が抑制される、請求項１又は請求項２に記載の仏壇。
【請求項４】
前記本体は、前記第１方向又は前記逆方向にスライドするように前記台を案内する案内部を更に含み、
前記台は、前記案内部と係合する係合部を更に含み、
前記蓋が前記起立状態で前記連結部を介して前記台を押し上げることによって、前記係合部は、前記第１方向と交差する交差方向に前記案内部を押圧する、請求項３に記載の仏壇。
【請求項５】
前記蓋は、蓋側第２磁性体、又は蓋側第２磁石を更に含み、
前記本体は、本体側第２磁性体、又は前記蓋側第２磁石と異なる極性を有する本体側第２磁石を更に含み、
前記起立状態において、前記蓋側第２磁性体、又は前記蓋側第２磁石は、前記蓋の前記対向面に埋め込まれた状態で前記対向面と面一であり、
前記蓋の前記対向面に前記蓋側第２磁性体が埋め込まれている場合、前記起立状態において、前記本体側第２磁石は、前記本体の前記天面に埋め込まれた状態で前記天面と面一であり、前記蓋側第２磁性体と対向し、
前記蓋の前記対向面に前記蓋側第２磁石が埋め込まれている場合、前記起立状態において、前記本体側第２磁性体又は前記本体側第２磁石は、前記本体の前記天面に埋め込まれた状態で前記天面と面一であり、前記蓋側第２磁石と対向し、
前記蓋側第１磁性体、又は前記蓋側第１磁石は、前記蓋の一端部に位置し、
前記蓋側第２磁性体、又は前記蓋側第２磁石は、前記蓋の他端部に位置する、請求項１から請求項４のいずれか１項に記載の仏壇。
【請求項６】
前記台は、前記当接状態で、前記傾き状態よりもスライドする動作が抑制される、請求項３又は請求項４に記載の仏壇。
【請求項７】
前記台は、前記第１対象物を載置可能な載置部を更に含み、
前記載置部は、前記台の内側に配置され、前記開放状態で前記第２切欠領域を介して出し入れ可能であり、
前記第１対象物は、遺骨を含む、請求項１から請求項６のいずれか１項に記載の仏壇。
【請求項８】
前記台は、前記第１対象物を載置可能な載置部を更に含み、
前記天板部は、前記第１側板部と、前記第２側板部とに対して、離間可能であり、
前記載置部は、前記台の内側に配置され、
前記第１対象物は、遺骨を含む、請求項１から請求項６のいずれか１項に記載の仏壇。
【請求項９】
前記天板部は、前記天板部の前記天面と平行に延びる第１溝部を有し、
前記第１溝部に板状の仏具が挿し込まれた場合、前記仏具は、前記第１溝部の長手方向にスライド可能である、請求項２から請求項８のいずれか１項に記載の仏壇。
【請求項１０】
第２溝部を有する台座を更に備え、
前記台座の底部の形状は、前記第１溝部の形状に対応しており、
前記台座の前記底部が前記第１溝部に挿し込まれた状態で、前記第２溝部に前記仏具が挿し込まれた場合、前記仏具は、前記第２溝部の長手方向にスライド可能である、請求項９に記載の仏壇。
【請求項１１】
前記仏具を更に備え、
前記仏具の底部の形状は、前記第１溝部又は前記第２溝部の形状に対応しており、
前記仏具は、位牌又は過去帳を含む、請求項１０に記載の仏壇。
【請求項１２】
前記第１溝部は、前記第１溝部の長手方向から見た場合に、前記天板部の前記天面から矩形状に凹むとともに、前記第１溝部の底部から前記第１溝部の短手方向に更に凹み、
前記仏具の前記底部は、前記第１溝部の前記底部の形状に対応して前記仏具の厚み方向に突出する、請求項１１に記載の仏壇。
【請求項１３】
礼拝に関する第２対象物を収納可能な収納箱を更に備え、
前記収納箱は、前記第１側板部と前記第１側壁部との間に着脱可能に載置され、
前記収納箱は、前記第１側板部と前記第１側壁部との間から取り外された状態で、前記収納箱の底板を天面として前記本体の外部に載置された場合、前記第２対象物を前記収納箱の前記天面に載置可能である、請求項１から請求項１２のいずれか１項に記載の仏壇。
【請求項１４】
前記収納箱は、前記収容状態かつ前記閉塞状態で、前記第１側板部と前記第１側壁部との間隔に対応する形状を有する、請求項１３に記載の仏壇。